(57)【要約】【課題】レンズ鏡筒の交換が可能な撮像装置において、装着されたレンズ鏡筒に対応して撮像素子に不要光が侵入するのを防止する。【解決手段】カメラ本体１に対して交換レンズ２の着脱が可能となっている撮像装置１００は、撮像素子１５と、交換レンズ２着脱されるマウント３と撮像素子１５との間に設けられ、開口量の変更が可能な不要光低減部材１０と、交換レンズ２と通信を行う通信部１２７、通信部１２７を介して交換レンズ２の情報を取得するカメラマイコン１２５を備える。カメラマイコン１２５は更に、交換レンズ２の情報に基づき交換レンズ２から撮像素子１５へ入射する光の有効光束領域を特定し、有効光束が遮られることなく、且つ、撮像素子１５への不要光の入射が抑制されるように撮影光路での不要光低減部材１０の開口量を制御する。【選択図】図２
2018159746.tif 000002
【特許請求の範囲】
【請求項１】
レンズ鏡筒の着脱が可能な撮像装置であって、
撮像素子と、
前記撮像装置においてレンズ鏡筒が着脱されるマウントと前記撮像素子との間に設けられ、開口量の変更が可能な不要光低減手段と、
前記マウントに装着されたレンズ鏡筒と通信を行う通信手段と、
前記通信手段を介して前記レンズ鏡筒の情報を取得する取得手段と、
前記レンズ鏡筒の情報に基づき前記レンズ鏡筒から前記撮像素子へ入射する光の有効光束の領域を特定し、前記有効光束が遮られることなく、且つ、前記撮像素子への不要光の入射が抑制されるように、撮影光路での前記不要光低減手段の開口量を制御する制御手段と、を備えることを特徴とする撮像装置。
【請求項２】
前記撮像装置に装着可能な交換レンズの光束情報を記憶する記憶手段を備え、
前記制御手段は、前記取得手段が取得した前記レンズ鏡筒の情報を前記記憶手段に記憶された光束情報と照合することで前記有効光束の領域を特定することを特徴とする請求項１に記載の撮像装置。
【請求項３】
前記レンズ鏡筒の情報は、前記レンズ鏡筒の機種情報を含み、
前記記憶手段は、前記機種情報に対応する光束情報を記憶することを特徴とする請求項２に記載の撮像装置。
【請求項４】
前記制御手段は、前記撮像装置に装着されたレンズ鏡筒と前記撮像装置と間での通信ができない場合に、前記不要光低減手段の開口量が、前記マウントに装着可能なレンズの中で前記撮像素子に入射する有効光束が最も大きい有効光束を遮らない開口量となるように制御することを特徴とする請求項２又は３に記載の撮像装置。
【請求項５】
前記取得手段は、前記マウントに装着されたレンズ鏡筒の動作に応じて前記レンズ鏡筒の情報を取得し、
前記制御手段は、前記取得手段が取得した前記レンズ鏡筒の情報に連動させて前記有効光束の領域を変更して、前記不要光低減手段の開口量を制御することを特徴とする請求項２乃至４のいずれか１項に記載の撮像装置。
【請求項６】
前記マウントに装着されたレンズ鏡筒の動作とは、ズームレンズの動作、フォーカスレンズの動作、絞りの動作の少なくとも１つを含むことを特徴とする請求項５に記載の撮像装置。
【請求項７】
前記不要光低減手段は、複数の羽根部材を有し、
前記制御手段は、前記複数の羽根部材を光軸と直交する面内で移動させることによって前記撮影光路での開口量を変更することを特徴とする請求項１乃至６いずれか１項に記載の撮像装置。
【請求項８】
前記不要光低減手段は、開口面積の異なる複数の開口部を有し、その径方向が光軸と直交するように配置される円板状部材であり、
前記制御手段は、前記光軸と直交する面内で前記円板状部材を回転させて、所定の開口面積の開口部を前記撮影光路に挿入することで前記撮影光路での開口量を制御することを特徴とする請求項１乃至６のいずれか１項に記載の撮像装置。
【請求項９】
前記不要光低減手段は、それぞれに複数の開口部が設けられ、その径方向が光軸と直交するように、且つ、光軸方向に所定の間隔で配置された複数の円板状部材を有し、
前記制御手段は、前記複数の円板状部材をそれぞれ、光軸と直交する面内で回転させて所定の開口部を前記撮影光路に挿入することを特徴とする請求項１乃至６のいずれか１項に記載の撮像装置。
【請求項１０】
前記複数の円板状部材のうち少なくとも１つの円板状部材に設けられた複数の開口部は、開口面積が異なることを特徴とする請求項９に記載の撮像装置。
【請求項１１】
前記複数の円板状部材のうち少なくとも１つの円板状部材は、光軸方向での移動が可能であることを特徴とする請求項９又は１０に記載の撮像装置。
【請求項１２】
前記円板状部材の光軸方向への移動を、第１の方向に向けて前記円板状部材が回転した場合に許容し、前記第１の方向とは反対の第２の方向に向けて前記円板状部材が回転した場合に規制するクラッチ機構を備えることを特徴とする請求項１１に記載の撮像装置。
【請求項１３】
前記複数の開口部の少なくとも１つに前記撮像素子への入射光量を低減させる光学フィルタが配置されていることを特徴とする請求項９乃至１２のいずれか１項に記載の撮像装置。
【請求項１４】
前記不要光低減手段は、光軸方向に所定の間隔で配置され、光軸と直交する方向において前記撮影光路に対して個々に挿抜可能な複数の枠部材を有し、
前記制御手段は、前記複数の枠部材から選択された１つまたは複数の枠部材を前記撮影光路に挿入することを特徴とする請求項１乃至６いずれか１項に記載の撮像装置。
【請求項１５】
前記複数の枠部材の少なくとも１つに前記撮像素子への入射光量を低減させる光学フィルタが配置されていることを特徴とする請求項１４に記載の撮像装置。
【請求項１６】
前記制御手段は、前記複数の枠部材のうち前記撮影光路に挿入された枠部材の、前記枠部材の挿抜方向における位置を調整することで前記撮影光路での開口量を調整することを特徴とする請求項１４又は１５に記載の撮像装置。
【請求項１７】
前記制御手段は、前記複数の枠部材のうち前記撮影光路から退避している枠部材の前記撮影光路に対する挿抜方向における位置を調整することにより前記撮影光路での開口量を調整することを特徴とする請求項１４乃至１６のいずれか１項に記載の撮像装置。
【請求項１８】
前記複数の枠部材の前記撮影光路へ挿入される側の端部に略台形型の切欠部が形成されていることを特徴とする請求項１４乃至１７のいずれか１項に記載の撮像装置。
【請求項１９】
光源の位置を検出する検出手段を備え、
前記制御手段は、前記検出手段が検出した光源の位置に応じて前記複数の枠部材のうち前記撮影光路に挿入された枠部材の、前記枠部材の挿抜方向における位置を調整することを特徴とする請求項１６乃至１８のいずれか１項に記載の撮像装置。
【発明の詳細な説明】
【技術分野】
【０００１】
本発明は、レンズ鏡筒の交換が可能な撮像装置に関し、特に装着されたレンズ鏡筒に応じて撮像装置本体の制御を行う撮像装置に関する。
【背景技術】
【０００２】
デジタル一眼レフカメラのようにレンズ交換が可能な撮像装置では、撮像装置本体に設けられた撮像素子に入射する有効光束を遮らないように、且つ、有効光束の外側の不要光を遮光するように、撮像装置本体に開口領域が形成されている。一般的に、開口領域の開口量は、撮像装置本体に装着可能なレンズの中で有効光束が一番大きいレンズに合わせて決定される。したがって、有効光束が小さいレンズが撮像装置本体に装着された場合に、撮像装置本体内に上述した不要光が入射してしまうことがある。この問題に対して一般的には、レンズ鏡筒の被写体側先端部に取り付けたフードの取り付け角度やマットボックスの開放角度を調整することにより、高輝度な光源の写り込みを防止する方法等が用いられている。
【０００３】
しかしながら、撮像装置をハウジング等に収納した状態で使用する撮影環境では、フードやマットボックス等を装着しない最小限の構成とすることが望ましい。また、監視カメラ等の監視用途に用いられる撮像装置は、撮影者（監視者）が撮像装置から離れた場所にいることが多く、その場合には、レンズ鏡筒に取り付けられた遮光部材の調整を行うことは困難である。また、光源が撮影画角外に存在する撮影環境において、光源から発せられる強い光が、撮影レンズの端面やレンズ鏡筒の内壁、撮像装置本体の内部内壁や内部部品の端面等に反射してしまうことがある。こうして反射した光は不要光として撮像素子に到達し、フレアやゴーストを発生させてしまうという問題がある。
【０００４】
このような問題に対して、特許文献１には、変倍光学系を備えた撮像装置において、変倍光学系の後群レンズの射出面側に開口形状を変化させる不要光低減部材を設ける構成が提案されている。特許文献１に記載された技術によれば、変倍光学系の倍率に応じて不要光を低減する手段の開口形状を変化させることで、望遠撮影時におけるフレアの発生を防止することができる。また、特許文献２には、レンズ交換が可能な撮像装置において、撮像素子の画像出力領域に合わせて開口領域を制御する不要光低減部材を撮影レンズ側に配置する技術が提案されている。特許文献２に記載された技術によれば、撮像素子の画像出力領域の縦横やアスペクト比に応じて不要光低減部材の開口領域を変更することがで、不要光を遮光することができる。
【先行技術文献】
【特許文献】
【０００５】
【特許文献１】特開２００４−１１７４０２号公報
【特許文献２】特開２０１０−１７６０７１号公報
【発明の概要】
【発明が解決しようとする課題】
【０００６】
しかしながら、特許文献１に記載された技術は、撮影レンズと撮像装置本体が一体となっている構成への適用を前提としている。そのため、特許文献１では、レンズ交換式の撮像装置のように様々なレンズ鏡筒の組み合わせが可能な構成においてレンズ鏡筒ごとに不要光を低減することは考慮されていない。また、特許文献１では、ズーム倍率に応じて開口形状を変化させる点について言及されているが、フォーカスレンズや絞りレンズ等の各種レンズの駆動に対応させた不要光低減部材の動作については言及されていない。
【０００７】
特許文献２に記載された技術は、レンズ交換式の撮像装置を考慮しているが、撮影レンズに設けられた不要光低減部材の開口を制御する構成となっているため、装着可能なレンズ鏡筒のすべてに不要光低減部材を設ける必要があり、現実的ではない。また、特許文献２に記載された技術では、不要光低減部材が撮影レンズ側に設けられているため、光源の位置によっては不要光が撮像装置本体の内部に侵入してしまうことがある。ここで、撮像装置本体の内部には、モアレや偽色を低減させるためのローパスフィルタや白飛びや黒潰れを抑制するためのＮＤフィルタ等の種々の光学部材、防塵用の密閉部材等が配置されている。したがって、前述したように、撮像装置本体の内部に侵入した不要光が撮像装置本体の内部の壁面や部品で反射して撮像素子に到達してしまうことで、フレアやゴースト等が発生するおそれがある。
【０００８】
本発明は、レンズ鏡筒の交換が可能な撮像装置において、装着されたレンズ鏡筒に対応して撮像素子に不要光が侵入するのを防止することを目的とする。
【課題を解決するための手段】
【０００９】
本発明に係る撮像装置は、レンズ鏡筒の着脱が可能な撮像装置であって、撮像素子と、前記撮像装置においてレンズ鏡筒が着脱されるマウントと前記撮像素子との間に設けられ、開口量の変更が可能な不要光低減手段と、前記マウントに装着されたレンズ鏡筒と通信を行う通信手段と、前記通信手段を介して前記レンズ鏡筒の情報を取得する取得手段と、前記レンズ鏡筒の情報に基づき前記レンズ鏡筒から前記撮像素子へ入射する光の有効光束の領域を特定し、前記有効光束が遮られることなく、且つ、前記撮像素子への不要光の入射が抑制されるように、撮影光路での前記不要光低減手段の開口量を制御する制御手段と、を備えることを特徴とする。
【発明の効果】
【００１０】
本発明によれば、レンズ鏡筒の交換が可能な撮像装置において、装着されたレンズ鏡筒に対応して撮像素子に不要光が侵入するのを防止することができる。
【図面の簡単な説明】
【００１１】
【図１】第１実施形態に係る撮像装置の概略構成を示す斜視図である。
【図２】第１実施形態に係る撮像装置の垂直断面図である。
【図３】第１実施形態に係る撮像装置の要部の分解斜視図である。
【図４】第１実施形態での有効光束が小さい場合の不要光低減部材の状態を説明する図である。
【図５】第１実施形態での有効光束が大きい場合の不要光低減部材の状態を説明する図である。
【図６】第１実施形態に係る撮像装置の制御ブロックを説明する図である。
【図７】第１実施形態でのレンズデータベースに記憶されている光束情報の一例を示す図である。
【図８】第１実施形態での不要光低減部材の制御フローチャートである。
【図９】第２実施形態に係る撮像装置の概略構成を示す断面図である。
【図１０】第３実施形態に係る撮像装置が備えるＮＤユニットの外観斜視図である。
【図１１】第３実施形態でのＮＤユニットの分解斜視図である。
【図１２】第３実施形態でのＮＤユニットの概略断面図である。
【図１３】第３実施形態でのＮＤユニットの制御フローチャートである。
【図１４】第４実施形態でのＮＤユニットの分解斜視図である。
【図１５】第４実施形態でのＮＤユニットの概略断面図である。
【図１６】第５実施形態でのＮＤユニットの外観斜視図である。
【図１７】第５実施形態でのＮＤユニットの分解斜視図である。
【図１８】第５実施形態でのＮＤユニットの概略断面図である。
【図１９】第５実施形態でのＮＤユニットの制御フローチャートである。
【図２０】第６実施形態でのＮＤユニットの分解斜視図である。
【図２１】第６実施形態でのＮＤユニットの概略断面図である。
【図２２】第６実施形態でのＮＤユニットの制御フローチャートである。
【図２３】第７実施形態に係る撮像装置の垂直断面図である。
【図２４】第７実施形態でのＮＤユニットの分解斜視図である。
【図２５】入射する有効光束が大きい場合の第７実施形態でのＮＤユニットの動作を説明する図である。
【図２６】入射する有効光束が小さい場合の第７実施形態でのＮＤユニットの動作を説明する第１の図である。
【図２７】第７実施形態でのＮＤユニットにおける第２フィルタの位置と撮影画像との関係を説明する図である。
【図２８】入射する有効光束が小さい場合の第７実施形態でのＮＤユニットの動作を説明する第２の図である。第７実施形態でのＮＤユニットの動作を説明する第３の図である。
【図２９】第７実施形態に係る撮像装置の制御ブロックを説明する図である。
【図３０】第７実施形態でのＮＤユニットの制御フローチャートである。
【図３１】第８実施形態に係る撮像装置の垂直断面図である。
【図３２】第９実施形態に係る撮像装置の垂直断面図である。
【図３３】第９実施形態に係る撮像装置の部分的な分解斜視図である。
【図３４】第９実施形態でのＮＤユニットの内部構造を説明する斜視図である。
【図３５】第９実施形態でのＮＤユニットのフィルタ保持部材の分解斜視図である。
【図３６】図３４に示す矢視Ｂ−Ｂの断面図である。
【図３７】図３６の断面図に対応する正面図である。
【図３８】第９実施形態での第２フィルタ保持部材の正面図である。
【図３９】図９の第２フィルタ保持部材を有するＮＤユニットの正面図である。
【発明を実施するための形態】
【００１２】
以下、本発明の実施形態について、添付図面を参照して詳細に説明する。
【００１３】
＜第１実施形態＞
図１は、本発明の第１実施形態に係るレンズ交換式の撮像装置１００の概略構成を示す斜視図である。撮像装置１００は、撮像装置本体１（以下「カメラ本体１」という）と、カメラ本体１に対して着脱自在なレンズ鏡筒２（以下「交換レンズ２」という）とを有する。なお、説明の便宜上、交換レンズ２の光軸ＯＡと平行な方向をＸ軸方向、Ｘ軸が水平方向の一方向であるとしたときに水平面内においてＸ軸と直交する方向をＹ軸方向、Ｘ軸及びＹ軸と直交する方向をＺ軸方向と規定する。
【００１４】
交換レンズ２は、カメラ本体１に対して着脱可能な種々のレンズ鏡筒のうちの１つであり、ここでは変倍光学系を有するものとする。交換レンズ２は、カメラ本体１に設けられたレンズ取り付けマウント３（以下「マウント３」と記す）に対して着脱自在となっている。本実施形態では、マウント３は、つまみ３ａ，３ｂを有するねじ部を光軸ＯＡを中心にして回動させることで、交換レンズ２に設けられたバヨネット爪部を光軸方向においてカメラ本体１内に設けられた撮像素子側に向けて引き込む構成となっている。但し、交換レンズ２をカメラ本体１に対して着脱自在とする構成は、これに限定されるものではなく、例えば、周知のバヨネット式マウント等であってもよい。交換レンズ２は、ズームリング２ａとフォーカスリング２ｂを有し、内部に配置されたレンズ群を駆動するための動力源と駆動制御を行う制御部を備えている。
【００１５】
図２は、撮像装置１００の垂直断面図（光軸ＯＡを含み、Ｙ軸と直交する断面の図）である。カメラ本体１は、不要光低減部材１０、ローパスフィルタ１２，１４、ＮＤユニット１３、撮像素子１５、センサ基板１６、メイン基板１７、第１通信接点部１８、操作部１９を備える。交換レンズ２は、第２通信接点部２０を備える。
【００１６】
不要光低減部材１０は、マウント３が設けられているフロントベース１１に駆動可能に取り付けられている遮光部材であり、詳細な構成と駆動形態については後述する。ローパスフィルタ１２，１４は、モアレや偽色を低減する光学部材である。ＮＤユニット１３は、撮像素子１５への入射光量を調整する光量減衰フィルタや赤外吸収フィルタを複数備えており、各光学フィルタを光軸ＯＡと直交する方向にスライドさせることにより撮影光路に対して挿抜可能となっているフィルタ切替手段の一例である。操作部１９は、電源のオン／オフ操作をはじめとした各種の操作を行うための手段である。撮像素子５は、ＣＣＤセンサ又はＣＭＯＳセンサ等である。センサ基板１６には、撮像素子１５と、撮像素子１５から出力されるアナログ信号をデジタル信号に変換するＡ／Ｄ変換回路１２１（図６参照）等が実装されている。メイン基板１７は、センサ基板１６と電気的に接続されており、センサ基板１６から取得したデジタル信号に対する各種の画像処理や映像出力、不要光低減部材１０の制御等をはじめとして撮像装置１００の全体的な動作を制御する。なお、撮像装置１００で実行される具体的な制御の内容と制御ブロックについては後述する。
【００１７】
カメラ本体１に交換レンズ２が装着された状態では、カメラ本体１に設けられた第１通信接点部１８と交換レンズ２に設けられた第２通信接点部２０とが電気的に接続される。メイン基板１７は、交換レンズ２がマウント３に装着されているか否かを、マウント３に設けられた不図示のスイッチからの信号に基づいて判定する。第１通信接点部１８と第２通信接点部２０はそれぞれ、交換レンズ２の焦点距離やズーム位置、絞り等の情報を入出力するための複数の通信用端子や交換レンズ２を駆動するための電源を供給する電源端子等の複数の端子を有する。
【００１８】
続いて、不要光低減部材１０の駆動方法について説明する。図３は、撮像装置１００の要部を撮像装置１００の背面側から見て示す分解斜視図である。不要光低減部材１０は、モータ１０１、前羽根１０２、後羽根１０４、摺動スペーサ１０３、駆動アーム１０５及びベース部材１０６を有する。
【００１９】
モータ１０１は、不要光低減部材１０の駆動源である。ベース部材１０６はねじ１０７によってフロントベース１１の締結部１１０に締結され、前羽根１０２及び後羽根１０４はベース部材１０６とフロントベース１１の間において光軸ＯＡと直交する面内で移動可能に配置される。前羽根１０２及び後羽根１０４はそれぞれ、光束が入射する部分に開口が形成されるように略Ｌ字形状を有しており、前羽根１０２及び後羽根１０４によって形成される開口付近の形状は光軸ＯＡを中心とした対称形状となっている。
【００２０】
フロントベース１１に形成された支持軸１１１ａ，１１１ｂのそれぞれに、前羽根１０２の摺動穴１０２ａ，１０２ｂが挿通されると共に後羽根１０４に形成された摺動穴１０４ａ，１０４ｂが挿通される。前羽根１０２及び後羽根１０４はそれぞれ、摺動穴１０２ａ，１０２ｂ及び摺動穴１０４ａ，１０４ｂの長穴形状に沿って光軸ＯＡに近付く方向と光軸ＯＡから離れる方向に平行移動する。前羽根１０２と後羽根１０４の間には、羽根同士が擦れるのを防止してスムーズな動作を可能とするための摺動スペーサ１０３が挿入されている。よって、光軸方向において、前羽根１０２と後羽根１０４の間には、摺動スペーサ１０３の厚み分だけの隙間が設けられている。
【００２１】
駆動アーム１０５の中心部１０５ａはモータ１０１に締結されており、駆動アーム１０５はモータ１０１の駆動（回転）によって中心部１０５ａを中心としてＸ軸と平行な軸まわりに回転する。モータ１０１は不図示のフレキシブル回路基板を介してメイン基板１７と電気的に接続されており、モータ１０１の駆動と駆動時の回転角度及び回転方向は不要光低減部材１０を制御するカメラ制御部１２４（図６参照）によって制御される。駆動アーム１０５の両端には駆動軸１０５ｂ，１０５ｃが設けられており、駆動軸１０５ｂは前羽根１０２に設けられた駆動穴１０２ｃに摺動自在に嵌合し、駆動軸１０５ｃは後羽根１０４に形成された駆動穴１０４ｃに摺動自在に嵌合する。これにより、駆動アーム１０５の回転が前羽根１０２及び後羽根１０４に伝えられ、前羽根１０２及び後羽根１０４によって形成される開口の大きさが調整される。
【００２２】
ベース部材１０６とＮＤユニット１３との間は弾性部材１３ａにより密閉されており、ＮＤユニット１３とセンサ基板１６に実装された撮像素子１５（図３に不図示）の間は弾性部材１３ｂにより密閉されている。こうして、マウント３の開口から塵埃等が侵入しても、撮像素子１５への塵埃の侵入が抑制される構造となっている。
【００２３】
図４及び図５は、カメラ本体１に装着された交換レンズの有効光束の違いによる不要光低減部材１０の動作の違いを説明する図である。図４は、有効光束の小さい交換レンズが装着されたときの不要光低減部材１０の動作を説明する図である。図５は、有効光束の大きい交換レンズが装着されたときの不要光低減部材１０の動作を説明する図である。図４（ａ）及び図５（ａ）は正面図であり、図４（ｂ）及び図５（ｂ）は背面図であり、図４（ｃ）及び図５（ｃ）は要部断面図である。
【００２４】
図４及び図５に示す領域Ｂは、撮像素子１５の有効画素領域を表している。有効光束の小さい交換レンズから有効光束の大きい交換レンズに交換した場合、モータ１０１の駆動により駆動アーム１０５が図４（ｂ）の状態から図５（ｂ）に示すように矢印Ｃ方向に回転する。これに伴い、駆動アーム１０５の回転動作により駆動穴１０２ｃ，１０４ｃにＺ軸方向の力が加わり、光軸ＯＡから離れるように前羽根１０２が矢印Ｄ方向に移動すると共に後羽根１０４は矢印Ｅ方向に移動する。こうして、有効光束の大きな交換レンズが装着された場合には、図５（ｃ）に示すように、不要光低減部材１０は有効光束Ｆ２を遮らない開口量に制御される。同様に、有効光束の小さな交換レンズが装着された場合には、光軸ＯＡに近付くように前羽根１０２が矢印Ｄ方向の反対方向に移動すると共に後羽根１０４は矢印Ｅ方向の反対方向に移動する。こうして、図４（ｃ）に示すように、不要光低減部材１０は有効光束Ｆ１を遮らない形状の開口量に制御される。このように、前羽根１０２及び後羽根１０４によって形成される開口の開口量を交換レンズの有効光束に合わせて変更することで、不要光を適切に低減させることができる。
【００２５】
不要光低減部材１０は、ローパスフィルタ１２，１４やＮＤユニット１３よりも交換レンズ２側に配置されているため、カメラ本体１の内部に侵入した不要光がこれらの光学部品やカメラ本体１の内壁で反射するのを防ぐことができる。例えば、不要光低減部材１０が配置されていない場合には、図４（ｃ）中に示す光線Ｇのような角度で入射した光は破線で示すように光学部品で反射して撮像素子１５に入射してしまう。これに対して、不要光低減部材１０が配置されている場合には、光線Ｇのような角度で入射した光は実線で示すように不要光低減部材１０によって交換レンズ２側に反射される。交換レンズ２側に反射した光が再び撮像素子１５に入射しても、複数回の反射によって光の強度は減衰するため、影響は小さい。
【００２６】
不要光低減部材１０はマウント３よりも撮像素子１５側において、カメラ本体１に着脱可能なすべての交換レンズ２に対して、交換レンズ２の後端に当接することのない位置に配置されている。つまり、不要光低減部材１０によって、カメラ本体１に着脱可能な交換レンズ２の使用が制限されることはない。
【００２７】
続いて、不要光低減部材１０の駆動を制御する構成について説明する。図６は、撮像装置１００（カメラ本体１及び交換レンズ２）の制御ブロックを説明する図である。図６において、図２と共通する要素については、同じ符号を付して、適宜、詳細な説明は省略する。
【００２８】
交換レンズ２は、画角を調節するズームレンズ２００と焦点を調節するフォーカスレンズ２０１を含む複数のレンズ群、開口量を調節する絞り２０２、レンズ制御部２０８を有する。ズームレンズ２００はズームアクチュエータ２０５によって光軸方向に駆動され、ズームレンズ２００の光軸方向での位置は位置検出部２０３によって検出される。フォーカスレンズ２０１はフォーカスアクチュエータ２０６により光軸方向に駆動され、フォーカスレンズ２０１の光軸方向での位置は位置検出部２０４によって検出される。絞り２０２は、絞りアクチュエータ２０７により開閉駆動される。
【００２９】
レンズ制御部２０８は、レンズマイコン２０９、電源部２１０及び通信部２１１を有する。レンズマイコン２０９は、カメラ本体１から通信部２１１を通じて制御信号を受信し、受信した制御信号に応じて、絞りアクチュエータ２０７、ズームアクチュエータ２０５及びフォーカスアクチュエータ２０６を制御する。また、レンズマイコン２０９は、交換レンズ２に設けられたズームリング２ａやフォーカスリング２ｂの操作に応じてズームアクチュエータ２０５とフォーカスアクチュエータ２０６を制御し、ズームレンズ２００とフォーカスレンズ２０１を光軸方向に移動させる。レンズマイコン２０９は、各種レンズの機種情報（レンズＩＤ）やズーム、フォーカス、絞りに関する情報を記憶している。電源部２１０と通信部２１１はそれぞれ、第２通信接点部２０に含まれる電源端子と通信用端子を含む。
【００３０】
カメラ本体１は、光学フィルタ１２０、Ａ／Ｄ変換回路１２１、カメラ信号処理回路１２２、カメラ制御部１２４及び不要光低減アクチュエータ１２９を有する。光学フィルタ１２０は、ローパスフィルタ１２，１４及びＮＤユニット１３が有する各種のＮＤフィルタを含む。不要光低減アクチュエータ１２９は、カメラ制御部１２４の制御下で、不要光低減部材１０を駆動する。撮像素子１５から出力されたアナログ信号はＡ／Ｄ変換回路１２１によりデジタル信号に変換され、Ａ／Ｄ変換回路１２１から出力されるデジタル信号はカメラ信号処理回路１２２に入力される。カメラ信号処理回路１２２は、入力されたデジタル信号に対して各種の画像処理を行って画像信号を生成する。カメラ信号処理回路１２２で生成された画像信号は、不図示であるが、液晶パネル等の表示部に表示され又は映像出力端子から外部機器に出力され或いは半導体メモリや光ディスク等の記憶媒体に記憶される。また、カメラ信号処理回路１２２で生成された画像信号は、カメラ制御部１２４に入力され、後述の通りにカメラ制御部１２４での各種処理に用いられる。
【００３１】
カメラ制御部１２４は、カメラマイコン１２５、電源部１２６、通信部１２７、レンズデータベース１２８を有する。カメラマイコン１２５は、操作部１９からの信号にしたがって撮像装置１００の全体制御を行う。また、カメラマイコン１２５は、カメラ信号処理回路１２２から取得した画像信号に基づき、絞り２０２やフォーカスレンズ２０１の制御信号等の交換レンズ２を駆動するため制御信号を生成し、通信部１２７を介してレンズマイコン２０９へ送信する。更に、カメラマイコン１２５は、交換レンズ２が有する固有の光学特性に基づいて画像補正処理を行うために必要な画像補正情報等を通信部１２７を介してレンズマイコン２０９から受信する。
【００３２】
電源部１２６と通信部１２７はそれぞれ、第１通信接点部１８に含まれる電源端子と通信用端子を含む。交換レンズ２の電源部２１０及び通信部２１１がそれぞれカメラ本体１の電源部１２６及び通信部１２７と接続されることにより、カメラマイコン１２５とレンズマイコン２０９との間の通信が可能となり、また、交換レンズ２での各種の駆動制御が可能となる。電源部１２６は、カメラ本体１の各部に電源を供給する。交換レンズ２の電源部２１０は、カメラ本体１の電源部１２６から電源供給を受けて、交換レンズ２の各部に電源を供給する。
【００３３】
レンズデータベース１２８は、交換レンズ２ごとの有効光束の短辺、長辺及び対角の領域情報（以下「光束領域情報」という）を記憶している。光束領域情報は、図７を参照して後述するように、ズーム、フォーカス及び絞りの動作ごとに有効光束の最大領域を特定する情報である。カメラマイコン１２５は、通信部１２７を介してカメラ本体１に装着された交換レンズ２の機種情報、ズーム位置情報、フォーカス位置情報、絞り情報等のレンズ情報をレンズマイコン２０９から受信する。カメラマイコン１２５は、レンズマイコン２０９から受信した情報とレンズデータベース１２８に記憶された情報とを照合して有効光束領域を特定し、不要光低減部材１０の開口量を制御する不要光低減アクチュエータ１２９を駆動させる。
【００３４】
図７は、レンズデータベース１２８に記憶されている光束情報の一例を示す図である。図７（ａ）は、ズーム動作時の光束情報を示しており、カメラ本体１に装着された交換レンズ２の口径によって有効光束領域は異なっている。一般的に、焦点距離が同じ場合には、絞り開口径の大きいＦ１．２のような大口径レンズの有効光束領域の方が、絞り開口径がより小さいＦ４のような中口径レンズよりも有効光束領域は大きい。また、レンズのズーム動作によって射出瞳位置が変化し、射出瞳位置が遠くなるにしたがって有効光束領域は大きくなる。よって、交換レンズ２が広角側から望遠側にズーム駆動されると、カメラマイコン１２５は光束領域情報に基づいて不要光低減アクチュエータ１２９を駆動し、図４（ｂ）のような開口領域の小さい状態から図５（ｂ）のような開口領域の大きい状態へ遷移させる。
【００３５】
図７（ｂ）はフォーカス動作時の光束情報を示している。焦点位置が同じ場合には、大口径レンズの方が中口径レンズよりも有効光束領域は大きい。フォーカス動作時は至近（ＭＯＤ）から無限遠（ＩＮＦ）へ変化するにしたがって有効光束領域は大きくなる。よって、交換レンズ２が至近から無限遠に駆動されると、カメラマイコン１２５は光束領域情報に基づいて不要光低減アクチュエータ１２９を駆動し、図４（ｂ）のような開口領域の小さい状態から図５（ｂ）のような開口領域の大きい状態へ遷移させる。
【００３６】
図７（ｃ）は、絞り動作時の光束情報を示している。図７（ｃ）に示すように、絞り値（Ｆ値）が同じ場合、射出瞳位置の遠いレンズの方が射出瞳位置の近いレンズよりも有効光束領域は大きい。また、絞り動作時は、Ｆ値が大きくなる（絞り径が小さくなる）にしたがって有効光束領域は小さくなる。したがって、交換レンズ２の絞り値が大きくなるように駆動されると、カメラマイコン１２５は光束領域情報に基づいて不要光低減アクチュエータ１２９を駆動し、図５（ｂ）のような開口領域の大きい状態から図４（ｂ）のような開口領域の小さい状態へ遷移させる。
【００３７】
図８は、撮像装置１００での不要光低減部材１０の制御フローを説明するフローチャートである。図８のフローチャートの各処理は、カメラマイコン１２５が所定のプログラムを実行してカメラ本体１の各部の動作を制御することにより実現される。交換レンズ２が撮像装置１００に装着され、撮像装置１００の電源がオンになると、交換レンズ２のレンズマイコン２０９とカメラ本体１のカメラマイコン１２５が通信を開始し、本処理が開始される。
【００３８】
ステップＳ３０１においてカメラマイコン１２５は、レンズマイコン２０９から交換レンズ２の機種情報（レンズＩＤ）を受信したか否か判定する。カメラマイコン１２５は、レンズＩＤを受信するまで待機し（Ｓ３０１でＮＯ）、レンズＩＤを受信したと判定した場合（Ｓ３０１でＹＥＳ）、処理をステップＳ３０２へ進める。なお、不図示であるが、カメラマイコン１２５は、ステップＳ３０１において予め定められた所定時間を経過してもレンズＩＤを受信しない場合には、処理をステップＳ３１１へ進める構成とすることができる。ステップＳ３０２においてカメラマイコン１２５は、受信したレンズＩＤの有効光束領域の情報がレンズデータベース１２８に記憶されているか否かを判定する。カメラマイコン１２５は、有効光束領域が記憶されていると判定した場合（Ｓ３０２でＹＥＳ）、処理をステップＳ３０３へ進め、有効光束領域が記憶されていないと判定した場合（Ｓ３０２でＮＯ）、処理をステップＳ３１１へ進める。
【００３９】
ステップＳ３０３においてカメラマイコン１２５は、取得した有効光束領域の情報に基づき、レンズＩＤに対応した不要光低減部材１０の開口量に変更する。具体的には、カメラマイコン１２５は、不要光低減部材１０の開口量が装着された交換レンズ２の最大有効光束領域を遮らない適切な開口量になるように不要光低減アクチュエータ１２９を駆動する。ステップＳ３０４においてカメラマイコン１２５は、レンズマイコン２０９からズームレンズ２００、フォーカスレンズ２０１及び絞り２０２（以下「ズームレンズ２００等」という）の位置情報を受信したか否かを判定する。カメラマイコン１２５は、ズームレンズ２００等の位置情報を受信するまで待機し（Ｓ３０４でＮＯ）、ズームレンズ２００等の位置情報を受信したと判定した場合（Ｓ３０４でＹＥＳ）、処理をステップＳ３０５へ進める。
【００４０】
ステップＳ３０５においてカメラマイコン１２５は、ステップＳ３０４で取得したズームレンズ２００等の位置情報を図７を参照して説明したレンズデータベース１２８に記憶されている光束情報と照合し、取得した位置情報に対応する有効光束領域を特定する。ステップＳ３０６においてカメラマイコン１２５は、不要光低減部材１０の開口量がステップＳ３０５で取得した有効光束領域を遮らない適切な開口量になるように不要光低減アクチュエータ１２９を駆動する。ステップＳ３０７においてカメラマイコン１２５は、レンズマイコン２０９から取得するズームレンズ２００等の位置情報に基づいて、ズームレンズ２００等が駆動されたか否か（位置情報が変化したか否か）を判定する。カメラマイコン１２５は、ズームレンズ２００等が駆動されたと判定した場合（Ｓ３０７でＹＥＳ）、処理をステップＳ３０８へ進め、ズームレンズ２００等は駆動されていないと判定した場合（Ｓ３０７でＮＯ）、処理をステップＳ３１０へ進める。
【００４１】
ステップＳ３０８，Ｓ３０９の処理は、実質的に、ステップＳ３０５，Ｓ３０６の処理と同じである。すなわち、ステップＳ３０８においてカメラマイコン１２５は、ステップＳ３０７で取得したズームレンズ２００等の駆動後の位置情報をレンズデータベース１２８に記憶されている光束情報と照合し、取得した位置情報に対応する有効光束領域を特定する。そして、ステップＳ３０９においてカメラマイコン１２５は、不要光低減部材１０の開口量がステップＳ３０８で取得した有効光束領域を遮らない適切な開口量になるように不要光低減アクチュエータ１２９を駆動する。
【００４２】
ステップＳ３０７の判定がＮＯとなった場合とステップＳ３０９の後のステップＳ３１０においてカメラマイコン１２５は、撮像装置１００の電源がオフされたか又は交換レンズ２が取り外されたかを判定する。カメラマイコン１２５は、電源がオフされておらず、且つ、交換レンズ２が取り外されていないと判定した場合（Ｓ３１０でＮＯ）、処理をステップＳ３０７へ戻す。一方、カメラマイコン１２５は、電源がオフされたか又は交換レンズ２が取り外されたと判定した場合（Ｓ３１０でＹＥＳ）、本処理を終了させる。
【００４３】
ステップＳ３１１においてカメラマイコン１２５は、不要光低減部材１０の開口量が、カメラ本体１に装着可能な、どの交換レンズ２が装着された場合でも有効光束領域を遮らない最大開口量となるように不要光低減アクチュエータ１２９を駆動する。その後、ステップＳ３１２においてカメラマイコン１２５は、撮像装置１００の電源がオフされたか又は交換レンズ２が取り外されたかを判定する。カメラマイコン１２５は、電源がオフされるか又は交換レンズ２が取り外されるまで（Ｓ３１２でＮＯ）、ステップＳ３１２の判定を繰り返す。カメラマイコン１２５は、電源がオフされ又は交換レンズ２が取り外されたと判定した場合（Ｓ３１２でＹＥＳ）、本処理を終了させる。
【００４４】
上記説明の通り、本実施形態によれば、レンズ交換式の撮像装置１００において、カメラ本体１は、交換レンズ２から得られるレンズ情報に基づき、交換レンズ２の有効光束領域を確認し、不要光低減部材１０の開口量を制御する。これにより、カメラ本体１に着脱可能な交換レンズ２ごとに不要光低減部材１０の開口量を適切に設定することが可能になるので、撮像素子１５への不要光の入射を効果的に低減することができる。また、カメラ本体１は、交換レンズ２での各種のレンズ位置に連動して不要光低減部材１０の開口量を調整するため、不要光低減部材１０の開口量をズーム動作等のレンズ駆動に対応して適切に制御することができる。更に、不要光低減部材１０をカメラ本体１の内部において各種の光学部品よりマウント３側に配置している。そのため、カメラ本体１の内部に侵入した不要光がカメラ本体１の内部壁面や光学部品の端面等で反射するのを抑制することが可能になるので、撮像素子１５への不要光の入射を効果的に抑制することができる。
【００４５】
＜第２実施形態＞
第１実施形態では、不要光低減部材を１カ所に配置した構成について説明したが、第２実施形態では、複数の不要光低減部材を配置した構成について説明する。図９は、本発明の第２実施形態に係るレンズ交換式の撮像装置の概略構成を示す断面図である。図９（ａ）は有効光束の小さい交換レンズ２が取り付けられた状態を示しており、図９（ｂ）は有効光束の大きい交換レンズ２が取り付けられた状態を示している。ここでは、第１実施形態と共通する部品（構成要素）については、同じ符号を付して説明を省略する。
【００４６】
カメラ本体１には、２カ所に不要光低減部材が配置されている。第１不要光低減部材１０は、ローパスフィルタ１２よりもマウント３側に配置されている。第２不要光低減部材５０は、ＮＤユニット１３の光学部品（各種の光学フィルタ）と撮像素子１５の間に配置されている。第１不要光低減部材１０は、第１実施形態で説明した不要光低減部材１０と同じであり、不要光低減アクチュエータ１２９（以下、本実施形態では、「第１要光低減アクチュエータ１２９」という）によって駆動される。第２不要光低減部材５０は、第１不要光低減部材１０と同等の構造を有しており、カメラマイコン１２５の制御下で第２不要光低減アクチュエータ（不図示）によって駆動される。
【００４７】
図９に示されるように、第１不要光低減部材１０の開口量と第２不要光低減部材５０の開口量は、有効光束の大きさによって異なる。カメラマイコン１２５は、レンズデータベース１２８に記憶された光束領域情報に基づいて第１不要光低減アクチュエータ１２９と第２不要光低減アクチュエータを制御し、第１不要光低減部材１０の開口量と第２不要光低減部材５０の開口量を調整する。
【００４８】
本実施形態では、第１不要光低減部材１０に加えて第２不要光低減部材５０が配置されていることにより、撮像素子１５への不要光の入射をより効果的に防止することができる。例えば、交換レンズ２の設定や光源の位置によっては、図９（ａ）に示すような光線Ｈが入射することがある。光線Ｈは、第１不要光低減部材１０の開口に近い位置から入射しているため、第１不要光低減部材１０で遮断されない。この場合に第２不要光低減部材５０が配置されていなければ、破線で示すようにカメラ本体１の内部部品に反射して撮像素子１５に入射してしまう。しかし、第２不要光低減部材５０をＮＤユニット１３の光学部材と撮像素子１５との間（第１不要光低減部材１０よりも撮像素子１５側）に配置することで、光線Ｈを実線で示すように第２不要光低減部材５０で反射させることができる。すなわち、本実施形態によれば、第１不要光低減部材１０で遮断することができない不要光が撮像素子１５に入射するのを第２不要光低減部材５０によって抑制することができるため、撮像素子１５への不要光の入射をより効果的に防ぐことが可能になる。
【００４９】
＜第３実施形態＞
第１実施形態及び第２実施形態では、光学フィルタを光軸方向と直交する方向にスライドさせて撮影光路に対して挿抜させるＮＤユニット１３を備えたカメラ本体１（撮像装置１００）について説明した。これに対して、本実施形態では、カメラ本体（撮像装置）に実装可能な、光軸と平行な軸まわりに回転可能な円板状部材（以下「ターレット」と称呼する）による光学フィルタ切替機構及び不要光低減のための開口量の切替機構を有するＮＤユニットについて説明する。
【００５０】
図１０は、ＮＤユニット４００の外観斜視図である。図１１は、ＮＤユニット４００の分解斜視図である。図１２は、図１０中の矢視Ａ−Ａでの断面図である。ＮＤユニット４００は、第１実施形態で説明した不要光低減部材１０及びＮＤユニット１３の機能を有する。よって、ＮＤユニット４００とは別に不要光低減部材は配置されておらず、その他の構成については第１実施形態と同じであるため、説明を省略する。
【００５１】
ＮＤユニット４００は、外装カバー４０１，４０２、センサ基板ユニット４０４、撮像素子４０７、レーザ光電センサ４１３，４４２、ステッピングモータ４１６，４１７、モータ保持板４２０、ＮＤターレット４２３及び不要光低減ターレット４３０を有する。共に円板状部材であるＮＤターレット４２３と不要光低減ターレット４３０は、その径方向が光軸（Ｘ軸）と直交するように配置される。
【００５２】
外装カバー４０２は、センサ基板ユニット４０４を介して、外装カバー４０２に設けられたボス４１０，４１４と外装カバー４０１に設けられたボス４３８を介して、ビス４０５により外装カバー４０１に取り付けられる。同時に、外装カバー４０２は、外装カバー４０２に設けられたボス４２１と外装カバー４０１に設けられたボス４４０を介して、ビス４０６により外装カバー４０１に取り付けられる。なお、外装カバー４０２には、ビス４０５が挿入されるビス穴４１２と、ビス４０６が挿入されるビス穴４１１が形成されている。外装カバー４０１には、ローパスフィルタ４４１が配置されている。
【００５３】
センサ基板ユニット４０４は、第１実施形態におけるセンサ基板１６に該当する部品である。撮像素子４０７は、センサ基板ユニット４０４に実装される。ローパスフィルタ４０８は、外装カバー４０２に設けられた凹部４０９に接着剤等で固定される。レーザ光電センサ４１３は、外装カバー４０２に取り付けられており、ＮＤターレット４２３の外周部に向けて投光するレーザ光源と、ＮＤターレット４２３からの反射光を受光する受光センサとを有する。また、レーザ光電センサ４４２は、外装カバー４０１に取り付けられており、不要光低減ターレット４３０の外周部に向けて投光するレーザ光源と、不要光低減ターレット４３０からの反射光を受光する受光センサとを有する。レーザ光電センサ４１３及びレーザ光電センサ４４２の使用形態については後述する。
【００５４】
ステッピングモータ４１６，４１７はそれぞれ、回転角度を検出するエンコーダを内蔵している。また、ステッピングモータ４１６，４１７のそれぞれにウォームギア４１８，４１９が取り付けられている。ステッピングモータ４１６，４１７を保持するモータ保持板４２０は、穴部４２２を通してビス４１５により外装カバー４０１に設けられたボス４３７に取り付けられている。このとき、ウォームギア４１８はＮＤターレット４２３の外周ギヤ（不図示）と接触しており、ステッピングモータ４１６の駆動によりＮＤターレット４２３を回転させることができるようになっている。同様に、ウォームギア４１９は不要光低減ターレット４３０の外周ギア（不図示）に接触しており、ステッピングモータ４１７の駆動により不要光低減ターレット４３０を回転させることができるようになっている。つまり、ステッピングモータ４１７、ウォームギア４１８及びレーザ光電センサ４４２は、不要光低減ターレット４３０を駆動するアクチュエータを構成する。
【００５５】
外装カバー４０１には、シャフト４３９が設けられている。不要光低減ターレット４３０のボス４３５は、ＮＤターレット４２３のボス４２８の穴部に挿入されている。また、シャフト４３９は、不要光低減ターレット４３０のボス４３５の穴部に挿入された状態で、外装カバー４０２に設けられた軸穴部４０３と嵌合している。こうして、ＮＤターレット４２３と不要光低減ターレット４３０は、シャフト４３９によって外装カバー４０１，４０２の内部に支持されている。
【００５６】
ＮＤターレット４２３は、ステッピングモータ４１６の駆動によりシャフト４３９を中心軸として回転することで、３種類のＮＤフィルタを撮影光路に挿入することが可能な部材である。ＮＤターレット４２３は、第１ＮＤフィルタ４２４、第２ＮＤフィルタ４２５及び第３ＮＤフィルタ４２６と、ＮＤフィルタを撮影光路に挿入しないようにするための開口部４２７を備えている。ＮＤターレット４２３の外周には、反射防止部材４２９が設けられている。反射防止部材４２９は、艶消し黒色塗料等のレーザ反射防止塗料が塗布された部材であり、レーザ光電センサ４１３から投光されたレーザ光の反射を抑制する。
【００５７】
不要光低減ターレット４３０は、ステッピングモータ４１７の駆動によりシャフト４３９を中心軸として回転することで、４種類の開口面積の異なる開口部を撮影光路に対して入れ替えることが可能な部材である。不要光低減ターレット４３０には、開口面積の大きい順に、第１開口部４３１、第２開口部４３２、第３開口部４３３及び第４開口部４３４が設けられている。不要光低減ターレット４３０の外周には、反射防止部材４３６が設けられている。反射防止部材４３６は、レーザ反射防止塗料等が塗布された部材であり、レーザ光電センサ４４２から投光されたレーザ光の反射を抑制する。
【００５８】
不図示の交換レンズからＮＤユニット４００へ有効光束Ｆ１が入射する。ステッピングモータ４１６によりＮＤターレット４２３を駆動して最適なＮＤフィルタを設定し、同様に、ステッピングモータ４１７により不要光低減ターレット４３０を駆動して最適な開口を設定する。こうして、有効光束Ｆ１は、ローパスフィルタ４４１、不要光低減ターレット４３０で設定された開口部、ＮＤターレット４２３で設定されたＮＤフィルタ、ローパスフィルタ４０８を通過して、撮像素子４０７に結像する。
【００５９】
なお、レーザ光電センサ４１３は、常時、ＮＤターレット４２３の外周近傍に向けてレーザ光を投光しており、通常は反射光を受けて受光信号を出力している。その際、ＮＤターレット４２３が回転して反射防止部材４２９にレーザ光が当たると、レーザ光が反射しなくなるために受光信号が出力されなくなる。レーザ光電センサ４１３が受信信号を出力しない位置を原点位置に設定し、ステッピングモータ４１６に内蔵されたエンコーダに基づいて所定の回転角度だけステッピングモータ４１６を回転させることにより所望のＮＤフィルタを撮影光路に配置することができる。なお、ＮＤターレット４２３の回転位置を検知することができれば、レーザ光電センサ４１３と反射防止部材４２９を用いる構成とは別の構成を用いても構わない。これと同様にして、レーザ光電センサ４４２の受信信号に基づいて不要光低減ターレット４３０の回転角度を制御することができる。
【００６０】
図１３は、ＮＤユニット４００の制御フローを説明するフローチャートである。なお、ＮＤユニット４００の制御ブロックは不図示であるが、不要光低減ターレット４３０を駆動するアクチュエータは、図６に示した不要光低減アクチュエータ１２９に該当する。図１３のフローチャートの各処理は、ＮＤユニット４００を備える撮像装置のカメラマイコンが所定のプログラムを実行して撮像装置の各部の動作を制御することにより実現される。図１３のフローチャートでは、図８のフローチャートの処理と同じ処理については同じステップ番号を付して、ここでの説明を省略する。
【００６１】
カメラマイコン１２５は、ステップＳ３０２の判定がＹＥＳとなった場合に処理をステップＳ１００１へ進め、ステップＳ３０２の判定がＮＯとなった場合に処理をステップＳ１００４へ進める。ステップＳ１００１においてカメラマイコン１２５は、ステップＳ３０１で受信したレンズＩＤに対応した開口量になるように不要光低減ターレット４３０を回転させる。カメラマイコン１２５は、ステップＳ１００１の処理後、処理をステップＳ３０４へ進める。ステップＳ３０５の次の処理のステップＳ１００２においてカメラマイコン１２５は、ステップＳ３０４で受信したレンズ位置に対応した開口量になるように不要光低減ターレット４３０を回転させる。カメラマイコン１２５は、ステップＳ１００２の処理後、処理をステップＳ３０７へ進める。
【００６２】
ステップＳ３０８の次の処理のステップＳ１００３においてカメラマイコン１２５は、ズームレンズ２００等が駆動された後のレンズ位置に対応した開口量となるように不要光低減ターレット４３０を回転させる。カメラマイコン１２５は、ステップＳ１００３の処理後、処理をステップＳ３１０へ進める。ステップＳ１００４においてカメラマイコン１２５は、レンズデータベース１２８にない場合の開口量（どの交換レンズ２が装着された場合でも有効光束領域を遮らない最大開口量）となるように不要光低減ターレット４３０を回転させる。カメラマイコン１２５は、ステップＳ１００４の処理後、処理をステップＳ３１２へ進める。
【００６３】
上記説明の通り、本実施形態によれば、第１実施形態と同様の効果を得ることができる。また、本実施形態では、ＮＤユニット４００に不要光低減部材としての不要光低減ターレット４３０が配置された構造となっており、ＮＤユニット４００とは別に不要光低減ターレットを配置する必要がないため、省スペース化を図ることができる。
【００６４】
＜第４実施形態＞
図１４は、ＮＤユニット４００Ａの分解斜視図である。図１５は、ＮＤユニット４００Ａの断面図であり、図１２の断面図に対応する図である。ＮＤユニット４００Ａは、第３実施形態で説明したＮＤユニット４００が備える不要光低減ターレット４３０を不要光低減ターレット４５０に置換した構造を有する。ＮＤユニット４００Ａの構成は、不要光低減ターレット４５０の構成を除いて、第３実施形態で説明したＮＤユニット４００の構成と同じである。よって、図１４及び図１５では、ＮＤユニット４００と共通する部品について同じ符号を付しており、それらの部品についてのここでの説明を省略する。なお、ＮＤユニット４００Ａの外観は、ＮＤユニット４００の外観（図１０）と同じである。
【００６５】
不要光低減ターレット４５０には、第１開口部４４６、第４ＮＤフィルタ４４７、第２開口部４４８及び第５ＮＤフィルタ４４９が設けられている。第４ＮＤフィルタ４４７と第５ＮＤフィルタ４４９の濃度は同じであるが、これらの濃度は、ＮＤターレット４２３に設けられた第１ＮＤフィルタ４２４、第２ＮＤフィルタ４２５及び第３ＮＤフィルタ４２６の濃度とは異なっている。第１開口部４４６と第４ＮＤフィルタ４４７の大きさ（面積）は同じであり、第２開口部４４８と第５ＮＤフィルタ４４９の大きさ（面積）は同じである。したがって、不要光低減ターレット４５０には不要光低減のための面積は２種類しかないが、ＮＤターレット４２３を開口部４２７で使用すれば（開口部４２７を撮影光路に配置すれば）、ＮＤフィルタの種類としては１種増えることになる。また、不要光低減ターレット４５０とＮＤターレット４２３とで開口部とＮＤフィルタの組み合わせを変えることで、７種類の異なる濃度のＮＤフィルタから所望の濃度を選択することができる。
【００６６】
このように本実施形態では、不要光低減ターレット４５０に異なる面積の開口部を多く設ける必要がない場合に、不要光低減ターレット４５０の余分なスペースを利用してＮＤフィルタを設けることで、ＮＤフィルタの種類を増やしている。これにより、撮影条件を設定する際の自由度が広がる。なお、ＮＤユニット４００Ａの制御フローは、図１３の制御フローに準ずるため、説明を省略する。なお、本実施形態もまた、第３実施形態と同様の効果を得ることができる。
【００６７】
＜第５実施形態＞
図１６は、ＮＤユニット４００Ｂの外観斜視図である。図１７は、ＮＤユニット４００Ｂの分解斜視図である。図１８は、図１６中の矢視Ｂ−Ｂでの断面図である。図１８（ａ）は、後述するＮＤターレット４５９と後述する不要光低減ターレット４７７とを近接させた状態を示しており、図１８（ｂ）は、ＮＤターレット４５９と不要光低減ターレット４７７とを離間させた状態を示している。なお、図１８（ａ），（ｂ）での各部品の対応関係は明確であるため、図１８（ｂ）では部品の符号の記載を省略している。また、ＮＤユニット４００Ｂは、第３実施形態で説明したＮＤユニット４００の変形例であり、よって、ＮＤユニット４００と共通する部品については図１６乃至図１８において同じ符号を付しており、ここでの説明を省略する。
【００６８】
ＮＤユニット４００Ｂは、外装カバー４５２，４５３、ＮＤターレット４５９及び不要光低減ターレット４７７を有する。また、ＮＤユニット４００Ｂは、ターレット押さえ板金４６０、金属リング４６４、ポリスライダワッシャ４６５、カムリング４６６、ワンウェイクラッチ４６７、コイルバネ４６８及びレーザ光電センサ４７３を有する。
【００６９】
外装カバー４５２，４５３、センサ基板ユニット４０４及びモータ保持板４２０の組み付け方法は、第３実施形態で説明したＮＤユニット４００での組み付け方法と同様であるため、これらの組み付けに関係する各部についての説明は省略する。具体的には、軸穴部４５４、ビス４５５、ビス４５６、ボス４５８、ボス４６９、ボス４７１、シャフト４７０、ボス４７２についての説明を省略する。
【００７０】
ＮＤターレット４５９には、リング部４７６が一体的に形成されている。ＮＤターレット４５９のその他の構成は、第３実施形態で説明したＮＤターレット４２３の構成と同じである。ターレット押さえ板金４６０は、ＮＤターレット４５９のＸ軸方向での位置がずれないように適度にＮＤターレット４５９を外周近傍で外装カバー４５３側に押圧する部材である。ターレット押さえ板金４６０には、所定位置に配置するためのビス穴４６１、ボス４７２の逃げ穴４６２及びウォームギア逃げ穴４６３が形成されている。カムリング４６６は、筒状部材であり、Ｘ軸方向の一方の端面はカム形状を有する。金属リング４６４は、カムリング４６６の外周に嵌合され、接着固定されている。
【００７１】
ワンウェイクラッチ４６７は、回転方向によってロック／アンロックされる部材であり、超小型スプリングや硬球を利用したものが用いられる。ワンウェイクラッチ４６７は、不要光低減ターレット４７７に設けられたシャフト４７４とカムリング４６６の間に嵌合配置されている。ワンウェイクラッチ４６７は、回転方向に応じて、シャフト４７４とカムリング４６６を同時に回転させ、又は、シャフト４７４を単独で回転させる。本実施形態では、センサ基板ユニット４０４側から見て、不要光低減ターレット４７７を反時計まわりに回転させたときにはシャフト４７４とカムリング４６６が同時回転し、時計まわりに回転させたときにはシャフト４７４が単独で回転する構成としている。なお、不要光低減ターレット４７７に設けられている開口部は、第３実施形態で説明した不要光低減ターレット４３０に設けられている開口部と同じである。
【００７２】
ポリスライダワッシャ４６５は、シャフト４７４にワンウェイクラッチ４６７とカムリング４６６を嵌合させた後に嵌め込むことで、ワンウェイクラッチ４６７とカムリング４６６のスラスト方向（Ｘ軸方向）の移動を規制する。コイルバネ４６８は、常時、不要光低減ターレット４７７をＮＤターレット４５９側に付勢している。外装カバー４５２に設けられたレーザ光電センサ４７３は、不要光低減ターレット４７７の外周部へ向けてレーザ光を投光したときの反射光に基づいて、不要光低減ターレット４７７の回転角度とＸ軸方向位置を検知する。なお、不要光低減ターレット４７７の回転角度は、ステッピングモータ４１６，４１７に備えられたエンコーダにより不要光低減ターレット４７７の回転原点位置を検出することで検出可能である。不要光低減ターレット４７７がＸ軸方向で移動可能となっているため、ステッピングモータ１１７に取り付けられたウォームギア４７５は、移動可能範囲で常に不要光低減ターレット４７７の外周ギアと係合可能な長さに設定されている。円柱ボス４７８（図１７では外装カバー４５３の陰に隠れている）は、外装カバー４５３から外装カバー４５２側へＸ軸方向に突出するように外装カバー４５２に一体的に形成されている。円柱ボス４７８の先端が球状となっており、カムリング４６６のカム面４７９に常に当接している。
【００７３】
次に、ＮＤユニット４００Ｂでの各部の動作について説明する。ステッピングモータ４１６によりでＮＤターレット４５９を回転させて最適なＮＤフィルタを設定する。続いて、ステッピングモータ４１７により不要光低減ターレット４７７を回転させて、最適な開口部を設定する。その際、まず、不要光低減ターレット４７７を、センサ基板ユニット４０４側から見て反時計まわり左方向に回転させる。すると、前述の通り、ワンウェイクラッチ４６７の作用でシャフト４７４とカムリング４６６が同時に回転する。このとき、円柱ボス４７８がカムリング４６６のカム面４７９に当接しているため、カム面４７９にしたがって不要光低減ターレット４７７がＸ軸方向（光軸方向）に移動する。そこで、不要光低減ターレット４７７を、レーザ光電センサ４７３からの出力信号に基づいて、不要光の低減に最適な光軸方向位置に設定する。その後、不要光低減ターレット４７７をセンサ基板ユニット４０４側から見て時計まわりに回転させる。すると、前述の通り、ワンウェイクラッチ４６７の作用でシャフト４７４が単独で回転するが、カムリング４６６は回転しないために不要光低減ターレット４７７はＸ軸方向に動かない。こうして、不要光低減ターレット４７７を、不要光の低減に最適な開口面積の開口部が撮影光路に配置された状態とすることができる。
【００７４】
以上の動作により、交換レンズに応じてカメラ本体に入射する不要光の低減に最適な開口面積の開口部を光軸方向の最適な位置に配置することができる。したがって、図９に示した光線Ｈのように斜めに入ってくる入射光線に対してよりきめ細かな対策を取ることが可能になることで、不要光の撮像素子への入射をより効果的に抑制することができる。なお、レーザ光電センサ４７３の出力信号に基づいて不要光低減ターレット４７７を最適な光軸方向位置に固定することができるが、不要光低減ターレットに設けられた反射防止部材４２９に対応する微小区間では光軸方向位置を検出することができなくなる。しかし、反射防止部材４２９は不要光低減ターレット４７７の外周のごく一部にしか形成されていないため、この微小区間が不要光低減ターレット４７７を固定する光軸方向位置の精度へ影響を及ぼすことはない。
【００７５】
図１９は、ＮＤユニット４００Ｂの制御フローを説明するフローチャートである。なお、ＮＤユニット４００Ｂの制御ブロックは不図示であるが、不要光低減ターレット４７７を駆動するアクチュエータは、図６に示した不要光低減アクチュエータ１２９に該当する。図１９のフローチャートの各処理は、ＮＤユニット４００Ｂを備える撮像装置のカメラマイコンが所定のプログラムを実行して撮像装置の各部の動作を制御することにより実現される。ここで、図１９のフローチャートでは、図８のフローチャートの処理と同じ処理については同じステップ番号を付して、ここでの説明を省略する。
【００７６】
カメラマイコン１２５は、ステップＳ３０２の判定がＹＥＳとなった場合に処理をステップＳ１１０１へ進め、ステップＳ３０２の判定がＮＯとなった場合に処理をステップＳ１１０４へ進める。ステップＳ１１０１においてカメラマイコン１２５は、ステップＳ３０１で受信したレンズＩＤに対応した開口量になるように、不要光低減ターレット４７７を光軸方向に移動、回転させる。カメラマイコン１２５は、ステップＳ１１０１の処理後、処理をステップＳ３０４へ進める。ステップＳ３０５の次の処理のステップＳ１１０２においてカメラマイコン１２５は、ステップＳ３０４で受信したレンズ位置に対応した開口量になるように不要光低減ターレット４７７を光軸方向に移動、回転させる。カメラマイコン１２５は、ステップＳ１１０２の処理後、処理をステップＳ３０７へ進める。
【００７７】
ステップＳ３０８の次の処理のステップＳ１１０３においてカメラマイコン１２５は、ズームレンズ２００等が駆動された後のレンズ位置に対応した開口量となるように不要光低減ターレット４７７を光軸方向に移動、回転させる。カメラマイコン１２５は、ステップＳ１１０３の処理後、処理をステップＳ３１０へ進める。ステップＳ１１０４においてカメラマイコン１２５は、レンズデータベース１２８にない場合の開口量（どの交換レンズ２が装着された場合でも有効光束領域を遮らない最大開口量）となるように不要光低減ターレット４７７を光軸方向に移動、回転させる。カメラマイコン１２５は、ステップＳ１１０４の処理後、処理をステップＳ３１２へ進める。
【００７８】
上記説明の通り、本実施形態によれば、第３実施形態と同様の効果を得ることができ、また、第３実施形態よりも不要光の撮像素子への入射をより効果的に抑制することが可能になる。
【００７９】
＜第６実施形態＞
図２０は、ＮＤユニット４００Ｃの分解斜視図である。なお、ＮＤユニット４００Ｃの外観は、第５実施形態で説明したＮＤユニット４００Ｂの外観（図１６）と同じである。図２１は、ＮＤユニット４００Ｃの断面図であり、図２１（ａ）は図１８（ａ）に対応する断面図であり、図２１（ｂ）は図１８（ｂ）に対応する断面図である。ＮＤユニット４００Ｃは、ＮＤユニット４００ＢからＮＤターレット４５９とＮＤターレット４５９の保持と駆動に必要な部材を除去し、不要光低減ターレット４７７の位置に不要光低減ターレット４７７に代えてＮＤターレット４８０を配置した構造を有する。そのため、ＮＤユニット４００Ｃの構成部品のうち、ＮＤユニット４００Ｂの構成部品と同じ部品については、同じ符号を付して説明を省略する。
【００８０】
ＮＤターレット４８０に設けられたシャフト４７４は、不要光低減ターレット４７７に設けられているシャフト４７４と同じであり、カムリング４６６等のシャフト４７４への組み付けも第５実施形態に準ずる。ＮＤターレット４８０におけるＮＤフィルタと開口部の配置は、第３実施形態でのＮＤターレット４２３におけるＮＤフィルタ及び開口部の配置と同じである。よって、ＮＤユニット４００Ｃでは、ＮＤターレット４８０をＸ軸方向（光軸方向）の所定位置に保持した状態で、所望のＮＤフィルタ又は開口部を撮影光路に配置することが可能である。撮像素子への不要光の入射抑制の動作は、ＮＤターレット４８０Ｃの光軸方向での移動のみによって行われ、このような構成であっても微小な光線変化に対して十分に対応することができる。また、ＮＤユニット４００Ｃは、ＮＤユニット４００Ｂと比較すると、構成部品を低減させることができることで、軽量化と低コスト化を図ることができる。
【００８１】
図２２は、ＮＤユニット４００Ｃの制御フローを説明するフローチャートである。なお、ＮＤユニット４００Ｃの制御ブロックは不図示であるが、ＮＤターレット４８０を駆動するアクチュエータは、図６に示した不要光低減アクチュエータ１２９に該当する。図２１のフローチャートの各処理は、ＮＤユニット４００Ｃを備える撮像装置のカメラマイコンが所定のプログラムを実行して撮像装置の各部の動作を制御することにより実現される。ここで、図２２のフローチャートでは、図８のフローチャートの処理と同じ処理については同じステップ番号を付して、ここでの説明を省略する。
【００８２】
カメラマイコン１２５は、ステップＳ３０２の判定がＹＥＳとなった場合に処理をステップＳ１２０１へ進め、ステップＳ３０２の判定がＮＯとなった場合に処理をステップＳ１２０４へ進める。ステップＳ１２０１においてカメラマイコン１２５は、ステップＳ３０１で受信したレンズＩＤに対応した開口量になるように、ＮＤターレット４８０を光軸方向に移動させる。カメラマイコン１２５は、ステップＳ１２０１の処理後、処理をステップＳ３０４へ進める。ステップＳ３０５の次の処理のステップＳ１２０２においてカメラマイコン１２５は、ステップＳ３０４で受信したレンズ位置に対応した開口量になるようにＮＤターレット４８０を光軸方向に移動させる。カメラマイコン１２５は、ステップＳ１２０２の処理後、処理をステップＳ３０７へ進める。
【００８３】
ステップＳ３０８の次の処理のステップＳ１２０３においてカメラマイコン１２５は、ズームレンズ２００等が駆動された後のレンズ位置に対応した開口量となるようにＮＤターレット４８０を光軸方向に移動させる。カメラマイコン１２５は、ステップＳ１２０３の処理後、処理をステップＳ３１０へ進める。ステップＳ１２０４においてカメラマイコン１２５は、レンズデータベース１２８にない場合の開口量（どの交換レンズ２が装着された場合でも有効光束領域を遮らない最大開口量）となるようにＮＤターレット４８０を光軸方向に移動させる。カメラマイコン１２５は、ステップＳ１２０４の処理後、処理をステップＳ３１２へ進める。
【００８４】
上記説明の通り、本実施形態によれば、第３実施形態と同様の効果を得ることができ、また、第５実施形態よりも軽量化と低コスト化を図ることができる。
【００８５】
＜第７実施形態＞
図２３は、第７実施形態に係る撮像装置１００Ａの垂直断面図（光軸ＯＡを含み、Ｙ軸と直交する断面の図）である。撮像装置１００Ａの外観は、第１実施形態で説明した撮像装置１００の外観（図１）と同一である。撮像装置１００Ａは、撮像装置１００が備えるＮＤユニット１３に代えてＮＤユニット５００を備える点で撮像装置１００と異なる。よって、撮像装置１００Ａの分解斜視図は、撮像装置１００の分解斜視図（図３）と同様である。そこで、以下では、ＮＤユニット５００の構成を中心に説明を行うこととし、撮像装置１００Ａの構成要素のうちで撮像装置１００の構成要素と共通するものについては、同じ符号を付して説明を省略する。
【００８６】
ＮＤユニット５００は、マウント３が取り付けられるフロントベース１１に取り付けられている。ＮＤユニット５００は、赤外領域の光を低減する赤外カット光学フィルタや可視領域の光に対する減光機能を有する濃度の異なる複数の（具体的には４枚の）光学フィルタを備えている。各光学フィルタは、光軸方向に所定の間隔で配置されており、個々に、撮影光路に対して挿抜可能となっている。本実施形態では、撮影時には、撮影者が選択した４枚の光学フィルタのうち１枚の光学フィルタが撮影光路に挿入され、残りの光学フィルタは撮影光路外（Ｚ軸正方向側）に退避しているものとする。以下の説明では、撮影光路に挿入された状態の光学フィルタは挿入状態にあるものと表現し、撮影光路に挿入されていない状態の光学フィルタは退避状態にあると表現する。
【００８７】
図２４は、ＮＤユニット５００の分解斜視図である。図２４（ａ）はＮＤユニット５００をＸ軸（光軸）に沿ってメイン基板１７側から見た分解斜視図であり、図２４（ｂ）はＮＤユニット５００をＸ軸に沿ってマウント３側から見た分解斜視図である。図２４では、マウント３側から２枚目の光学フィルタのみを挿入状態としており、ＮＤユニット５００の内部構造を説明するために他の光学フィルタの一部を不図示としている。ＮＤユニット５００は、前カバー５０１及び後カバー５０２と、マウント３側から順に配置された、第１光学フィルタ５１０、第２光学フィルタ５２０、第３光学フィルタ５３０及び第４光学フィルタ５４０（図２４に不図示、図２５参照）を有する。
【００８８】
挿入状態にある第２光学フィルタ５２０を例に、その構成について説明する。なお、第１光学フィルタ５１０、第３光学フィルタ５３０及び第４光学フィルタ５４０の構造は第２光学フィルタ５２０の構造と同じであるため、説明を省略する。第２光学フィルタ５２０は、透過性のある光学ガラス５２１が熱可塑性樹脂等で形成されたベース部材５２２と薄い金属板で形成されたマスク部材５２３によって保持された構造を有する。ベース部材５２２に形成された凹部に光学ガラス５２１が嵌め込まれ、その上からマスク部材５２３で蓋がされ、マスク部材５２３はねじ５２４でベース部材５２２に固定される。ベース部材５２２とマスク部材５２３はそれぞれ、交換レンズ２（不図示）から入射した光束が撮像素子１５へ通過可能な開口部５２２ａ，５２３ａを有している。
【００８９】
ここで、マスク部材５２３の開口部５２３ａは、ベース部材５２２の開口部５２２ａよりも小さい。これは、マスク部材５２３はベース部材５２２よりも薄く形成することができるため、開口部の端面に光が当たることで不要光が生じて撮像素子１５に入射するのを防ぐことができるためである。また、マスク部材５２３の開口部５２３ａはカメラ本体１に着脱可能な交換レンズ２のうちで有効光束の最も大きい有効光束を遮らない大きさで形成されており、有効光束の外側から入射する不要な光を遮るマスクとしても機能する。なお、マスク部材５２３の表面には、反射防止加工が施され或いは反射を防止するための遮光塗料が塗布されていてもよい。
【００９０】
ベース部材５２２には、Ｙ軸方向に延出するように腕部５２２ｂ，５２２ｃが設けられている。腕部５２２ｂ，５２２ｃはそれぞれ、ガイドシャフト５２５，５２６に沿ってＺ軸方向に摺動可能に保持されており、これにより第２光学フィルタ５２０は、Ｚ軸方向での移動のみ可能となっている。腕部５２２ｂには、突出部５２２ｄが形成されている。また、ＮＤユニット５００の内部には、ステッピングモータ等の位置制御が容易なアクチュエータ５２７が配置されている。腕部５２２ｂに形成された突出部５２２ｄは、アクチュエータ５２７の回転運動をＺ軸方向の直進運動に変換するリードスクリュ５２８に連結されている。アクチュエータ５２７とメイン基板１７とは、フレキシブル回路基板５２９によって電気的に接続されている。メイン基板１７に実装されたカメラ制御部１２４がアクチュエータ５２７の駆動を制御することで、第２光学フィルタ５２０のＺ軸方向での移動（退避状態と挿入状態との間の遷移）が制御される。
【００９１】
図２５は、有効光束の大きい交換レンズ（不図示）がカメラ本体１に装着されたときのＮＤユニット５００の動作を説明する図である。図２５（ａ）は、カメラ本体１の正面図である。図２５（ｂ）は、光軸ＯＡを含み、Ｙ軸と直交する断面図である。図２５（ｃ）は図２５（ｂ）中の領域Ｃの拡大図であり、図２５（ｄ）は図２５（ｂ）中の領域Ｄの拡大図である。図２５（ａ）において領域Ｂは撮像素子１５の有効画素領域を示しており、図２５（ｂ）において有効光束Ｆ２は、カメラ本体１への最大有効光束を示している。
【００９２】
カメラ本体１には、カメラ本体１に装着可能な交換レンズのうち、最も有効光束の大きい交換レンズが装着されているものとする。ＮＤユニット５００において挿入状態にある第２光学フィルタ５２０は、図２５（ｃ），（ｄ）に示されるように、マスク部材５２３の開口部５２３ａが有効光束Ｆ２を遮らない位置に配置される。なお、第１光学フィルタ５１０、第３光学フィルタ５３０及び第４光学フィルタ５４０が挿入状態となった場合も、第２光学フィルタ５２０と同様に、それぞれのマスク部材の開口部が有効光束Ｆ２を遮ることはない。
【００９３】
図２６は、有効光束の小さい交換レンズ（不図示）がカメラ本体１に装着されたときのＮＤユニット５００の動作を説明する第１の図である。図２６（ａ）は、カメラ本体１の正面図である。図２６（ｂ）は、光軸ＯＡを含み、Ｙ軸と直交する断面図である。図２６（ｃ）は図２６（ｂ）中の領域Ｃの拡大図であり、図２６（ｄ）は図２６（ｂ）中の領域Ｄの拡大図である。なお、図２６（ａ）において領域Ｂは撮像素子１５の有効画素領域を示しており、図２６（ｂ）において有効光束Ｆ１は、カメラ本体１への最大有効光束を示しており、有効光束Ｆ１は図２５に示した有効光束Ｆ２よりも光線範囲が狭くなっている。図２７は、高輝度な光源Ｓ１がカメラ本体１の上方（Ｚ軸正方向）に位置する場合の、第２光学フィルタ５２０の位置と撮影画像との関係を説明する図である。
【００９４】
図２６（ｂ）に示すようにカメラ本体１の上方に光源Ｓ１がある場合、カメラ本体１の内部で反射する光は撮像素子１５の下方に映り込む。例えば、光線Ｊのような角度で入射した光は、破線矢印で示すようにカメラ本体１の内部部品の端面で反射して撮像素子１５に入射してしまう。このとき、第２光学フィルタ５２０が図２５に示す位置（図２６（ｃ），（ｄ）の破線位置）にあると、不要光が撮像素子１５に入射し、図２７（ａ）に示すようにゴースト５５０が発生した状態になる。
【００９５】
そこで、図２６（ｄ）に示すように、有効光束Ｆ１の下辺を遮らない位置まで第２光学フィルタ５２０を破線位置から実線位置までＺ軸正方向側に移動させる。これにより、図２６（ｂ）に実線矢印で示すように、光線Ｊはマスク部材５２３の表面で反射して交換レンズ側へ戻る。こうして、有効光束Ｆ１の下側に入ってくる不要光をマスク部材５２３によって遮断することで、撮像素子１５に不要光が入射するのを防ぐことができる。その結果、撮影画像では、図２７（ｂ）に示すように、ゴースト５５０が改善される。
【００９６】
ここで撮影者は、図２７（ｂ）の撮影画像を確認して更にゴースト５５０を低減したい場合には、操作部１９から第２光学フィルタ５２０を更にＺ軸正方向に移動させる指示を入力し、マスク部材５２３の開口部５２３ａを有効光束Ｆ１に更に近付ける。これにより、図２７（ｃ）に示すように、ゴースト５５０が発生していない撮影画像を得ることができる。このようにＮＤユニット５００では、マスク部材５２３の開口部５２３ａと有効光束Ｆ１の隙間を狭めることで、可能な限り不要光を低減することができるため、例えば、部品の組み付け誤差や寸法公差等によるゴーストの発生を抑制することも可能になる。
【００９７】
図２６及び図２７を参照してカメラ本体１の上側に光源Ｓ１がある場合について説明したが、次に、カメラ本体１の下側に光源がある場合のＮＤユニット５００での制御について説明する。図２８は、有効光束の小さい交換レンズ（不図示）がカメラ本体１に装着されたときのＮＤユニット５００の動作を説明する第２の図である。図２８（ａ）は、カメラ本体１の正面図である。図２８（ｂ）は、光軸ＯＡを含み、Ｙ軸と直交する断面図である。図２８（ｃ）は図２８（ｂ）中の領域Ｃの拡大図であり、図２８（ｄ）は図２８（ｂ）中の領域Ｄの拡大図である。なお、図２８（ａ）において領域Ｂは撮像素子１５の有効画素領域を示しており、図２８（ｂ）において有効光束Ｆ１は、カメラ本体１への最大有効光束を示している。
【００９８】
図２８（ｂ）に示すように高輝度な光源Ｓ２がカメラ本体１の下方（Ｚ軸負方向）に位置している場合、カメラ本体１の内部で反射する光は撮像素子１５の上方に映り込む。例えば、光線Ｍのような角度で入射した光は、破線矢印で示すようにカメラ本体１の内部部品の端面で反射して撮像素子１５に入射してしまう。このとき、第２光学フィルタ５２０が図２５に示す位置（図２８（ｃ），（ｄ）の破線位置）にあると、不要光が撮像素子１５に入射してゴーストが発生してしまう。
【００９９】
そこで、図２８（ｃ）に示すように、有効光束Ｆ１の上辺を遮らない位置まで第２光学フィルタ５２０を破線位置から実線位置までＺ軸負方向に移動させる。これにより、図２８（ｂ）に実線矢印で示すように、光線Ｍはマスク部材５２３の表面で反射して交換レンズ側へ戻る。こうして、有効光束Ｆ１の上側に入ってくる不要光をマスク部材５２３によって遮断することで、撮像素子１５に不要光が入射するのを防ぐことができる。
【０１００】
撮像素子１５の上部と下部のどちらに入射する不要光を遮断するかは、光源の位置を検知して自動的に光学フィルタを駆動するようにしてもよいし、撮影者が遮断したい不要光に合わせて光学フィルタの移動方向と移動量を設定するようにしてもよい。光源Ｓ１，Ｓ２等の光源の位置は、撮影画像の輝度情報に基づき、周知の技術を用いて取得することができる。ＮＤユニット５００では、交換レンズの有効光束と光源の位置を考慮して、各光学フィルタにおける開口部の、各光学フィルタの撮影光路に対する挿抜方向での位置（Ｚ軸方向位置）を調整する。これにより、撮像素子１５に入射する不要光を効果的に低減させることができる。また、撮影者は、撮影画像で不要光の影響を確認しながら挿入状態にある光学フィルタのＺ軸方向位置を調整することができる。よって、より細かな不要光対策を行って撮影を行うことが可能になることで、高品質の撮影画像を得ることができる。
【０１０１】
なお、本実施形態では、撮影光路に対して光学フィルタを挿抜可能な周知のＮＤユニットを用いて、撮像素子１５に入射する不要光を低減させることができるため、別途、不要光低減部材を設ける必要がない。また、光学フィルタを撮影光路に挿入する際の移動量の調整のみで撮像素子１５に入射する不要光を低減させることができるため、別途に駆動手段（アクチュエータ）を設ける必要もない。よって、カメラ本体１の内部構造が複雑になることがなく、カメラ本体１が大型化することもない。
【０１０２】
図２９は、撮像装置１００Ａの制御ブロックを説明する図である。撮像装置１００Ａは、第１実施形態で説明した撮像装置１００とは、カメラ本体１が表示部５６０を備え、また、不要光低減アクチュエータ１２９に代えてＮＤアクチュエータ５７０を備える点で異なる。撮像装置１００Ａにおいて撮像装置１００（図６）と共通する要素については、同じ符号を付して、説明を省略する。
【０１０３】
カメラマイコン１２５は、交換レンズ２から取得したレンズ情報とレンズデータベース１２８に記憶された光束情報を照合して交換レンズ２の有効光束領域を特定する。そして、カメラマイコン１２５は、特定した有効光束領域に基づいてＮＤアクチュエータ５７０を駆動する。ＮＤアクチュエータ５７０は、ＮＤユニット５００において光学フィルタを挿入状態と退避状態との間で遷移させるモータと、挿入状態にある光学フィルタのＺ軸方向位置を調整するモータとを有する。表示部５６０には、被写体映像（ライブビュー映像）が表示される。撮影者は、表示映像を確認してＮＤユニット５００で挿入状態にある光学フィルタのＺ軸方向位置を調整する指示を操作部１９を介してカメラマイコン１２５に指示することができる。カメラマイコン１２５は、操作部１９からの指示にしたがってＮＤアクチュエータ５７０を駆動する。
【０１０４】
図３０は、ＮＤユニット５００の制御フローを説明するフローチャートである。図３０のフローチャートの各処理は、カメラマイコン１２５が所定のプログラムを実行してカメラ本体１の各部の動作を制御することにより実現される。なお、図３０のフローチャートでは、図８のフローチャートの処理と同じ処理については同じステップ番号を付して、ここでの説明を省略する。
【０１０５】
カメラマイコン１２５は、ステップＳ３０２の判定がＹＥＳとなった場合に処理をステップＳ１３０１へ進める。ステップＳ１３０１においてカメラマイコン１２５は、取得した最大有効光束領域の下辺を遮らない位置に撮影者の選択した光学フィルタが挿入されるようにＮＤアクチュエータ５７０を駆動する。カメラマイコン１２５は、ステップＳ１３０１の処理後、処理をステップＳ３０４へ進める。ステップＳ３０５の次の処理のステップＳ１３０２においてカメラマイコン１２５は、撮影光路に挿入した光学フィルタのマスク部材がステップＳ３０５で取得した有効光束領域の下辺を遮らない位置に移動するようにＮＤアクチュエータ５７０を駆動する。
【０１０６】
ステップＳ１３０２の次の処理のステップＳ１３０３においてカメラマイコン１２５は、撮影者の操作による光学フィルタの移動方向や移動量の入力があったか否かを判定する。カメラマイコン１２５は、光学フィルタの移動方向と移動量を受信したと判定した場合（Ｓ１３０３でＹＥＳ）、処理をステップＳ１３０４へ進める。ステップＳ１３０４においてカメラマイコン１２５は、ＮＤアクチュエータ５７０を駆動して、受信した移動方向へ受信した移動量だけ光学フィルタを移動させる。
【０１０７】
カメラマイコン１２５は、ステップＳ１３０４の処理後、処理をステップＳ３０７へ進める。また、カメラマイコン１２５は、ステップＳ１３０３において光学フィルタの移動方向と移動量を受信していないと判定した場合（Ｓ１３０３でＮＯ）、処理をステップＳ３０７へ進める。ステップＳ３０８の次の処理のステップＳ１３０５においてカメラマイコン１２５は、ステップＳ３０８で取得した有効光束領域の下辺を遮らない位置に光学フィルタのマスク部材が位置するようにＮＤアクチュエータ５７０を駆動する。カメラマイコン１２５は、ステップＳ１３０５の処理後、処理をステップＳ３１０へ進める。
【０１０８】
なお、本実施形態ではステップＳ１３０１，Ｓ１３０２，Ｓ１３０５において、装着された交換レンズ２の最大有効光束領域の下辺を遮らないように光学フィルタの開口部の位置（マスク部材の位置）を調整しているが、下辺に代えて上辺を優先させるようにしてもよい。また、上辺と下辺のどちらを優先するかを撮影者が選択することができるようにしてもよい。本実施形態によれば、撮像装置１００Ａに取り付けられた交換レンズ２の状態に応じて有効光束領域の下辺（又は上辺）を遮らないようにＮＤユニット５００での光学フィルタの位置が調整されることで、不要光の撮像素子１５への入射を抑制することができる。
【０１０９】
＜第８実施形態＞
図３１は、第８実施形態に係る撮像装置１００Ｂの垂直断面図（光軸ＯＡを含み、Ｙ軸と直交する断面図）である。図３１（ａ）は有効光束の大きい交換レンズ２が取り付けられた状態を示しており、図３１（ｂ）は有効光束の小さい交換レンズ２が取り付けられた状態を示している。撮像装置１００Ｂは、第７実施形態で説明した撮像装置１００Ａが備えるＮＤユニット５００に代えて、ＮＤユニット６００を備える点で撮像装置１００Ａと異なる。よって、撮像装置１００Ｂの構成要素のうち、撮像装置１００Ａの構成要素と同じものについては、同じ符号を付して説明を省略する。また、ＮＤユニット６００の構成要素のうち、ＮＤユニット５００の構成要素と同じものについても、同じ符号を付して重複する説明を省略する。
【０１１０】
撮像装置１００Ｂが備えるＮＤユニット６００は、マウント３から撮像素子１５側へ順に、第１光学フィルタとしての枠部材６１０、第２光学フィルタ５２０、第３光学フィルタ５３０及び第４光学フィルタ５４０を有する。枠部材６１０は、光学ガラスの入っていない開口部６１０ｂを有する。枠部材６１０は、遮光部材で形成されており常に挿入状態で使用される。カメラ本体１に装着された交換レンズ２の有効光束に合わせて撮影光路内で枠部材６１０をＺ軸方向に移動させることで、枠部材６１０により不要光を遮断することができる。枠部材６１０は、撮像素子１５に入射する不要光を低減させるという効果から、第１光学フィルタと定義することができる。
【０１１１】
図３１では、枠部材６１０と第３光学フィルタ５３０が挿入状態にあり、第２光学フィルタ５２０及び第４光学フィルタ５４０は退避状態にある。第２光学フィルタ５２０乃至第４光学フィルタ５４０は、ＮＤユニット５００と同様に、挿入状態と退避状態とを制御することができ、挿入状態において個々にＺ軸方向位置の調整が可能となっている。
【０１１２】
枠部材６１０がマウント３に近い位置に配置されることで、撮像素子への不要光の入射をより効果的に防止することができ、その理由について以下に説明する。例えば、図３１（ｂ）に示すように、光線Ｋのような角度で入射した光は、枠部材６１０がない場合には、破線矢印で示すようにカメラ本体１の内部部品の端面で反射して撮像素子１５に入射してしまう。一方、枠部材６１０がマウント３に近い位置に配置され、有効光束Ｆ１の上部（Ｚ軸正方向）を遮る位置に枠部材６１０の開口部６１０ａを移動させる。すると、光線Ｋは実線矢印で示すように枠部材６１０のマウント３側の表面で反射して交換レンズ２（不図示）側へ戻るため、カメラ本体１の内部部品の端面で反射する光を低減させ、撮像素子１５への不要光の入射を防止することができる。なお、本実施形態ではマウント３側に光学ガラスを有さない枠部材６１０を配置した構成としたが、これに限らず、枠部材６１０の開口部６１０ａにはローパスフィルタ等が配置されていてもよい。
【０１１３】
＜第９実施形態＞
図３２は、第９実施形態に係る撮像装置１００Ｃの垂直断面図（光軸ＯＡを含み、Ｙ軸と直交する断面図）である。図３３は、撮像装置１００Ｃの部分的な分解斜視図である。撮像装置１００Ｃは、第１実施形態で説明した撮像装置１００が備える不要光低減部材１０及びＮＤユニット１３に代えてＮＤユニット７００を備える点で撮像装置１００と異なる。そのため、撮像装置１００Ｃの構成要素のうち、撮像装置１００の構成要素と同じものについては、同じ符号を付して説明を省略する。
【０１１４】
撮像装置１００Ｃが備えるＮＤユニット７００は、ＮＤフィルタや赤外吸収フィルタ等の複数（具体的には２つ）の光学フィルタを内蔵しており、各光学フィルタは、モータ８１７（図３４参照）により、個別に撮影光路に対して挿抜可能となっている。ＮＤユニット７００は、外装となる外装カバー７０１，７０２を有する。
【０１１５】
図３４は、ＮＤユニット７００の内部構造を説明する斜視図であり、外装カバー７０２が取り外された状態で示されている。ＮＤユニット７００には、第１フィルタ保持部材７２０及び第２フィルタ保持部材８００がＺ軸方向に移動可能に配置されており、いずれか一方が撮影光路に挿入されたときに他方は撮影光路外へ退避する構造となっている。なお、図３２では第１フィルタ保持部材７２０が退避状態に、第２フィルタ保持部材８００が挿入状態となっており、図３４では第１フィルタ保持部材７２０が挿入状態、第２フィルタ保持部材８００が退避状態となっている。外装カバー７０１には、保持板金７０３ａ，７０３ｂが取り付けられており、保持板金７０３ａ，７０３ｂのそれぞれに対してガイドシャフト８１９ａ，８１９ｂが固定されている。保持板金７０３ａ，７０３ｂのそれぞれにモータ８１７が取り付けられ、２つのモータ８１７のそれぞれにリードスクリュ８１８が回転可能に取り付けられている。
【０１１６】
第２フィルタ保持部材８００を例にＺ軸方向での移動方法を説明する。図３５は、第２フィルタ保持部材８００の分解斜視図である。第２フィルタ保持部材８００は、保持枠８０４、第２光学フィルタ８０１及び薄板部材８０３を備えており、薄板部材８０３には開口Ｈ１が形成されている。薄板部材８０３は、交換レンズ側からの光の反射を低減するために遮光性材料で形成されており、更に端面での反射を低減するために保持枠８０４の端部よりも薄く成形されている。第２光学フィルタ８０１は保持枠８０４の立壁部８０２に嵌合され、第２光学フィルタ８０１の外周部を覆うように薄板部材８０３が配置され、第２光学フィルタ８０１は立壁部８０２と薄板部材８０３に挟持された状態で固定ねじ８０８により固定されている。なお、固定ねじ８０８はＮＤユニット７００をマウント３側から見た際には不可視となるよう配置されている。なお、第２光学フィルタ８０１の固定方法は限定されるものではなく、例えば、接着剤等を用いてもよく、また、薄板部材８０３を用いない構成としてもよい。
【０１１７】
保持枠８０４には、腕部８０５ａ，８０５ｂが略Ｙ軸方向に延設されている。腕部８０５ａには穴部が設けられており、穴部にはガイドシャフト８１９ａが摺動可能に嵌挿されている。また、腕部８０５ｂにはスリット部が設けられており、スリット部にはガイドシャフト８１９ｂが摺動可能に嵌合されている。また、腕部８０５ａにはナット保持部８０６が延設されており、ナット保持部８０６はナット８０７を保持しており、ナット８０７はリードスクリュ８１８と噛み合っている。よって、モータ８１７を駆動するとリードスクリュ８１８が回転し、リードスクリュ８１８の回転にしたがってナット８０７がＺ軸方向に移動することで第２フィルタ保持部材８００全体がガイドシャフト８１９ａ，８１９ｂにガイドされてＺ軸方向に移動する。
【０１１８】
外装カバー７０１には挿入側検出スイッチ８２１と退避側検出スイッチ８２２が設けられている。第２フィルタ保持部材８００が撮影光路に挿入されて腕部８０５ａが挿入側検出スイッチ８２１を押圧すると、第２フィルタ保持部材８００は撮影光路内の挿入位置にあることが検出される。一方、退避側検出スイッチ８２２が保持枠８０４上端により押圧されると、第２フィルタ保持部材８００は撮影光路外の退避位置にあることが検出される。なお、第１フィルタ保持部材７２０の構造は第２フィルタ保持部材８００と略同一であり、その移動方法も第２フィルタ保持部材８００の移動方法と同様であるため、説明を省略する。また、第１フィルタ保持部材７２０についても、同様に、外装カバー７０１に設けられた挿入側検出スイッチ７２１及び退避側検出スイッチ７２２により挿入位置にあるか待避位置にあるかの検出が可能となっている。
【０１１９】
続いて、ＮＤユニット７００が撮像素子１５への不要光の入射を抑制する態様について説明する。図３６は、図３４に示す矢視Ｂ−Ｂの断面図である。図３６（ａ）は有効光束の大きい交換レンズが取り付けられた状態を示す断面図であり、図３６（ｂ）は有効光束の小さい交換レンズが取り付けられた状態を示す断面図である。図３７は、図３６に対応する正面図である。図３７（ａ）は、図３６（ａ）に対応しており、有効光束Ｆ２が大きい交換レンズが取り付けられた状態を示す正面図であり、図３７（ｂ）は、図３６（ｂ）に対応しており、有効光束Ｆ１が小さい交換レンズが取り付けられた状態を示す正面図である。
【０１２０】
撮像装置１００Ｃでは、カメラマイコン１２５は、交換レンズ２から受信したレンズ情報とレンズデータベース１２８に記憶された光束領域情報とを照合し、該当する光束領域情報を取得する。カメラマイコン１２５は、取得した光束領域情報に基づき、有効光束を遮らず、且つ、効果的に撮像素子１５への不要光の入射を抑制することができる位置に第１フィルタ保持部材７２０及び第２フィルタ保持部材８００を移動させ、開口の大きさを制御する。具体的には、図３６（ａ）及び図３７（ａ）に示すように、大きい有効光束Ｆ２の場合、第２フィルタ保持部材８００を撮影光路外に退避させる。一方、図３６（ｂ）及び図３７（ｂ）に示すように、小さい有効光束Ｆ１の場合、第１フィルタ保持部材７２０をＺ軸正方向にΔＺ１だけ移動させ、第２フィルタ保持部材８００をＺ軸負方向にΔＺ２だけ移動させて、開口Ｈを小さくすることで不要光を遮断する。
【０１２１】
なお、第１フィルタ保持部材７２０及び第２フィルタ保持部材８００の挿入位置及び退避位置は、挿入側検出スイッチ８２１及び退避側検出スイッチ８２２により既知である。そのため、カメラマイコン１２５は、各スイッチがオン／オフされる位置を起点として必要な移動量に応じた回転量だけモータ８１７を駆動することにより、開口Ｈを任意の大きさに調整することができる。小さい有効光束Ｆ１の場合に、第１フィルタ保持部材７２０を退避状態とし、第２フィルタ保持部材８００を挿入状態とする場合も、上記と同様にして、第１フィルタ保持部材７２０及び第２フィルタ保持部材８００のＺ軸方向の位置を調整すればよい。つまり、開口ＨのＺ軸正方向側を第１フィルタ保持部材７２０のＺ軸負方向側の端部で決定し、開口ＨのＺ軸負向側を第２フィルタ保持部材８００の開口部で決定すればよい。
【０１２２】
＜第１０実施形態＞
本実施形態では、第９実施形態で説明したＮＤユニット７００の変形例について説明する。図３８は、第９実施形態で説明した第２フィルタ保持部材８００の変形例の１つである第２フィルタ保持部材９００の正面図である。図３９は、第１フィルタ保持部材７２０及び第２フィルタ保持部材９００を有するＮＤユニット７００Ａをフロントベース１１側から見た正面図である。第２フィルタ保持部材９００の構成要素のうち第２フィルタ保持部材８００の構成要素と同じものについては、同じ符号を付して説明を省略する。
【０１２３】
第２フィルタ保持部材９００は薄板部材９０３を備え、薄板部材９０３において撮影光路に挿入される側の端部（Ｚ軸負方向端）には、略台形型の切欠部９０４が形成されている。したがって、図３９に示すように、第１フィルタ保持部材７２０及び第２フィルタ保持部材９００によって開口ＨのＺ軸方向幅を短くした場合に、Ｚ軸正方向側の隅部を遮光することができるため、撮像素子１５への不要光の入射をより効果的に抑制することができる。なお、第２フィルタ保持部材９００の構成は第１フィルタ保持部材７２０にも適用可能である。これにより、第２フィルタ保持部材９００が挿入状態にあり、第１フィルタ保持部材７２０が退避状態位置にある場合に、図３９に示した状態と同じ状態を実現することができる。
【０１２４】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。例えば、第１実施形態では、２枚の羽根部材（前羽根１０２及び後羽根１０４）を駆動することにより開口量を調整する構成の不要光低減部材１０について説明した。しかし、不要光低減部材１０の構成はこれに限定されるものではなく、３枚以上の羽根部材で開口量を調整するようにしてもよい。
【０１２５】
また、上記実施形態では、カメラ本体１がレンズデータベース１２８を備える構成としたが、カメラ本体１に外部機器との通信を可能とする通信手段を設け、外部機器に格納されたレンズデータベースにアクセスして有効光束領域を特定する構成としてもよい。更に、上述した各種のＮＤユニットが備える光学フィルタの枚数は、上記の例に限定されるものではない。また、ＮＤユニットが備える光学フィルタの種類は、適時、用途等を考慮して設定されればよく、必ずしもＮＤフィルタを備えている必要もない。更に、例えば、第７実施形態では、光学フィルタのＺ軸方向位置を調整する構成について説明したが、光学フィルタはＹ軸方向位置の調整が可能な構成となっていてもよい。
【符号の説明】
【０１２６】
１    カメラ本体（撮像装置本体）
２    交換レンズ（レンズ鏡筒）
１０    不要光低減部材
１３    ＮＤユニット
１５    撮像素子
１８    第１通信接点部
１００，１００Ａ，１００Ｂ，１００Ｃ    撮像装置
１２５    カメラマイコン
１２７，２１１    通信部
１２８    レンズデータベース
２０９    レンズマイコン
４００，４００Ａ，４００Ｂ，４００Ｃ    ＮＤユニット
４３０，４５０，４７７    不要光低減ターレット
４５９    ＮＤターレット
【図１】
2018159746.tif 000003
【図２】
2018159746.tif 000004
【図３】
2018159746.tif 000005
【図４】
2018159746.tif 000006
【図５】
2018159746.tif 000007
【図６】
2018159746.tif 000008
【図７】
2018159746.tif 000009
【図８】
2018159746.tif 000010
【図９】
2018159746.tif 000011
【図１０】
2018159746.tif 000012
【図１１】
2018159746.tif 000013
【図１２】
2018159746.tif 000014
【図１３】
2018159746.tif 000015
【図１４】
2018159746.tif 000016
【図１５】
2018159746.tif 000017
【図１６】
2018159746.tif 000018
【図１７】
2018159746.tif 000019
【図１８】
2018159746.tif 000020
【図１９】
2018159746.tif 000021
【図２０】
2018159746.tif 000022
【図２１】
2018159746.tif 000023
【図２２】
2018159746.tif 000024
【図２３】
2018159746.tif 000025
【図２４】
2018159746.tif 000026
【図２５】
2018159746.tif 000027
【図２６】
2018159746.tif 000028
【図２７】
2018159746.tif 000029
【図２８】
2018159746.tif 000030
【図２９】
2018159746.tif 000031
【図３０】
2018159746.tif 000032
【図３１】
2018159746.tif 000033
【図３２】
2018159746.tif 000034
【図３３】
2018159746.tif 000035
【図３４】
2018159746.tif 000036
【図３５】
2018159746.tif 000037
【図３６】
2018159746.tif 000038
【図３７】
2018159746.tif 000039
【図３８】
2018159746.tif 000040
【図３９】
2018159746.tif 000041